(57)【特許請求の範囲】
【請求項１】
着脱可能に保持された記録媒体から、前記記録媒体に記録されたコンテンツを再生するコンテンツ再生部と、
前記コンテンツ再生部で再生された前記コンテンツのコピー禁止の有無を検出するコピー防止検出部と、
前記コンテンツ再生部で再生された前記コンテンツのデータを復号する復号部と、
前記復号部で復号された前記コンテンツのデータを伝送対象に送出するデータ送信部と、
前記コンテンツ再生部で再生された前記コンテンツのモニタ用の映像及び又は音声を提供するモニタ部と、
各部の動作を制御する制御部とを有し、
前記データ送信部によるデータ送出のプロトコルが、
コピー禁止のコンテンツのデータを送出する場合には、伝送対象との間で認証の処理を実行し、認証に成功した場合に、前記コンテンツのデータを暗号化して送出するプロトコルであり、
前記制御部は、
ユーザーによる指示により、前記記録媒体に記録された前記コンテンツの前記コンテンツ再生部による再生を開始して前記コピー防止検出部による検出結果を取得し、
該検出結果により前記コンテンツ再生部により再生するコンテンツがコピー禁止でない場合、前記データ送信部により該コンテンツのデータを送出し、
該コンテンツがコピー禁止である場合、前記データ送信部により該コンテンツのデータの送出を中止し、該データの送出の中止を前記モニタ部によりユーザーに通知する
ことを特徴とするコンテンツ出力装置。
【請求項２】
前記コピー防止検出部は、
前記復号部の入力データよりコピー禁止の有無を検出する
ことを特徴とする請求項１に記載のコンテンツ出力装置。
【請求項３】
前記コピー防止検出部は、
前記復号部の出力データよりコピー禁止の有無を検出する
ことを特徴とする請求項１に記載のコンテンツ出力装置。
【請求項４】
前記伝送対象のユーザーにコンテンツの伝送を中止する旨の警告を通知するビデオデータ及び又はオーディオデータを格納するデータ格納手段を有し
前記制御部は、
前記該コンテンツがコピー禁止である場合、
前記コンテンツのデータに代えて、前記データ格納手段に格納したデータを前記データ送信部により送出することにより、前記データ送信部により該コンテンツのデータの送出を中止する
ことを特徴とする請求項１に記載のコンテンツ出力装置。
【請求項５】
演算処理手段の実行に供するコンテンツ出力装置の制御方法であって、
前記コンテンツ出力装置が、
着脱可能に保持された記録媒体から、前記記録媒体に記録されたコンテンツを再生するコンテンツ再生部と、
前記コンテンツ再生部で再生された前記コンテンツのデータを復号する復号部と、
前記復号部で復号された前記コンテンツのデータを伝送対象に送出するデータ送信部と、
前記コンテンツ再生部で再生された前記コンテンツのモニタ用の映像及び又は音声を提供するモニタ部とを有し、
前記データ送信部によるデータ送出のプロトコルが、
コピー禁止のコンテンツのデータを送出する場合には、伝送対象との間で認証の処理を実行し、認証に成功した場合に、前記コンテンツのデータを暗号化して送出するプロトコルであり、
ユーザーによる指示により、前記記録媒体に記録された前記コンテンツの前記コンテンツ再生部による再生を開始して前記コピー防止検出部による検出結果を取得するコピー防止検出のステップと、
前記コピー防止検出のステップによる検出結果により、前記コンテンツ再生部により再生するコンテンツがコピー禁止でない場合、前記データ送信部により該コンテンツのデータを送出するデータ送出のステップと、
前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する
ことを特徴とするコンテンツ出力装置の制御方法。
【請求項６】
演算処理手段の実行に供するコンテンツ出力装置の制御方法のプログラムであって、
前記コンテンツ出力装置が、
着脱可能に保持された記録媒体から、前記記録媒体に記録されたコンテンツを再生するコンテンツ再生部と、
前記コンテンツ再生部で再生された前記コンテンツのデータを復号する復号部と、
前記復号部で復号された前記コンテンツのデータを伝送対象に送出するデータ送信部と、
前記コンテンツ再生部で再生された前記コンテンツのモニタ用の映像及び又は音声を提供するモニタ部とを有し、
前記データ送信部によるデータ送出のプロトコルが、
コピー禁止のコンテンツのデータを送出する場合には、伝送対象との間で認証の処理を実行し、認証に成功した場合に、前記コンテンツのデータを暗号化して送出するプロトコルであり、
前記制御方法のプログラムは、
ユーザーによる指示により、前記記録媒体に記録された前記コンテンツの前記コンテンツ再生部による再生を開始して前記コピー防止検出部による検出結果を取得するコピー防止検出のステップと、
前記コピー防止検出のステップによる検出結果により、前記コンテンツ再生部により再生するコンテンツがコピー禁止でない場合、前記データ送信部により該コンテンツのデータを送出するデータ送出のステップと、
前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する
ことを特徴とするコンテンツ出力装置の制御方法のプログラム。
【請求項７】
演算処理手段の実行に供するコンテンツ出力装置の制御方法のプログラムを記録した記録媒体であって、
前記コンテンツ出力装置が、
着脱可能に保持された記録媒体から、前記記録媒体に記録されたコンテンツを再生するコンテンツ再生部と、
前記コンテンツ再生部で再生された前記コンテンツのデータを復号する復号部と、
前記復号部で復号された前記コンテンツのデータを伝送対象に送出するデータ送信部と、
前記コンテンツ再生部で再生された前記コンテンツのモニタ用の映像及び又は音声を提供するモニタ部とを有し、
前記データ送信部によるデータ送出のプロトコルが、
コピー禁止のコンテンツのデータを送出する場合には、伝送対象との間で認証の処理を実行し、認証に成功した場合に、前記コンテンツのデータを暗号化して送出するプロトコルであり、
前記制御方法のプログラムは、
ユーザーによる指示により、前記記録媒体に記録された前記コンテンツの前記コンテンツ再生部による再生を開始して前記コピー防止検出部による検出結果を取得するコピー防止検出のステップと、
前記コピー防止検出のステップによる検出結果により、前記コンテンツ再生部により再生するコンテンツがコピー禁止でない場合、前記データ送信部により該コンテンツのデータを送出するデータ送出のステップと、
前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する
ことを特徴とするコンテンツ出力装置の制御方法のプログラムを記録した記録媒体。
【発明の詳細な説明】
【技術分野】
【０００１】
本発明は、コンテンツ出力装置、コンテンツ出力装置の制御方法、コンテンツ出力装置の制御方法のプログラム、コンテンツ出力装置の制御方法のプログラムを記録した記録媒体に関し、例えばカメラ一体型ビデオテープレコーダに適用することができる。本発明は、認証、暗号化の処理により著作権の保護を図るインターフェースにより映像コンテンツを外部機器に出力するようにして、コピー禁止が指示されている場合には、出力を中止すると共に、メッセージの表示、警告音の出力によりユーザーに通知することにより、インターフェースの構成を簡略化して著作権の保護を図るようにして、機器が故障したといったような印象をユーザーに与えないようにすることができる。
【背景技術】
【０００２】
従来、音楽コンテンツ、映像コンテンツの著作権の保護を目的に、例えばＨＤＭＩ(High Definition Multimedia Interface)等の種々のプロトコルが提案されている。
【０００３】
ここでＨＤＭＩでは、伝送に供するコンテンツのコピー禁止の有無を判定し、ＨＤＣＰ（High-bandwidth Digital Conetent Protection System ）により、送受信側で相互認証の処理を実行して暗号化によりコンテンツを伝送する。この処理において、伝送対象の機器との間で相互認証できない場合、コンテンツに係るオーディオデータ、ビデオデータの出力をミュートし、これによりコンテンツを保護する。
【０００４】
すなわち図１４は、ＨＤＭＩに係る出力機器の処理手順を示すフローチャートである。この出力機器は、伝送対象の機器が接続されると、この処理手順を開始してステップＳＰ１からステップＳＰ２に移り、接続された機器へのリクエストにより伝送対象の機器のインターフェースを特定する情報を取得する。なおここで出力機器は、ＥＤＩＤ(Extended Display Identification Data)を受信し、このＥＤＩＤに記述された接続先機器情報により伝送対象の機器の対応可能な信号フォーマットを検出する。
【０００５】
続いて出力機器は、ステップＳＰ３に移り、伝送に供するパケットデータ（Audio/Video Packet）が取得されたか否か判断し、ここで否定結果が得られると、ステップＳＰ３を繰り返す。これにより出力機器は、単に伝送対象の機器が接続されただけの場合には、このステップＳＰ３の処理を繰り返し、伝送に供するデータの取得を待機する。
【０００６】
これに対してコンテンツの再生等を開始して、又はコンテンツの再生を開始した状態で伝送対象の機器を接続して、ステップＳＰ３で肯定結果が得られると、出力機器は、ステップＳＰ４に移る。ここで出力機器は、取得した伝送に係るパケットデータにコピー禁止が設定されているか否か判断し、ここで否定結果が得られると、ステップＳＰ４からステップＳＰ５に移る。
【０００７】
このステップＳＰ５において、出力機器は、ステップＳＰ２で検出した対応可能な信号フォーマットに応じて伝送に供するパケットデータをフォーマット化し、続くステップＳＰ６でこのフォーマット化したデータを伝送対象に送出した後、ステップＳＰ３に移り、続くパケットデータの取得を待機する。これにより伝送に供するコンテンツにコピー禁止が指示されていない場合、ＨＤＭＩでは、暗号化することなく、伝送対象に対応するフォーマットによりコンテンツのデータを出力する。
【０００８】
これに対してステップＳＰ４で肯定結果が得られると、出力機器は、ステップＳＰ４からステップＳＰ７に移る。ここで出力機器は、伝送に供するパケットデータを暗号化する。また続くステップＳＰ８において、伝送対象の機器との間でＨＤＣＰによる認証の処理を実行し、続くステップＳＰ９において、認証を成功したか否か判断する。
【０００９】
ここで肯定結果が得られると、出力機器は、ステップＳＰ７で暗号化したデータをステップＳＰ２で検出した対応可能な信号フォーマットに応じてフォーマット化し、続くステップＳＰ６でこのフォーマット化したデータを伝送対象に送出した後、ステップＳＰ３に移り、続くパケットデータの取得を待機する。これによりＨＤＭＩでは、コピー禁止が指示されたコンテンツについては、出力対象の機器との間で認証の処理を実行し、認証に成功すると暗号化して伝送する。
【００１０】
これに対してステップＳＰ９で否定結果が得られると、出力機器は、ステップＳＰ９からステップＳＰ１０に移り、出力をミュートした後、ステップＳＰ３に移って続くパケットデータの取得を待機する。これによりＨＤＭＩでは、コピー禁止が指示されたコンテンツについては、出力対象の機器との間で認証の処理を実行し、認証失敗すると、コンテンツの伝送を中止する。
【００１１】
図１５は、図１４のステップＳＰ８に係るＨＤＣＰによる認証の処理を詳細に示すフローチャートである。出力機器は、この処理手順を開始すると、ステップＳＰ１１からステップＳＰ１２に移り、演算により乱数を生成し、この生成した乱数とＫＳＶ（Key Selection Vector）とを接続先の機器である伝送対象の機器に通知する。なおここでＫＳＶは、ＨＤＭＩ（HDMI）に係る機器が各々持っている各機器に固有のユニークな公開鍵である。
【００１２】
この乱数とＫＳＶとの通知により、伝送対象の機器では、この乱数、ＫＳＶを用いた所定の演算処理を実行し、出力機器は、続くステップＳＰ１３において、伝送対象の機器から伝送対象の機器のＫＳＶ、この演算結果を受信する。出力機器は、続くステップＳＰ１４において、この受信した伝送対象のＫＳＶを用いて乱数による演算処理を実行し、この演算処理結果がステップＳＰ１３で受信した演算処理結果と一致するか否か判断する。
【００１３】
ここで否定結果が得られると、出力機器は、ステップＳＰ１４からステップＳＰ１５に移り、認証処理に失敗したと設定した後、ステップＳＰ１６から元の処理手順に戻る。
【００１４】
これに対してステップＳＰ１４で肯定結果が得られると、出力機器は、ステップＳＰ１４からステップＳＰ１７に移る。ここで出力機器は、伝送対象の機器が例えばセレクタ等のコンテンツの伝送を中継する装置か否か判断する。なおこの判断は、ステップＳＰ２で取得したＥＤＩＤの記述により判定する。
【００１５】
ここで否定結果が得られると、出力機器は、ステップＳＰ１７からステップＳＰ１８に移り、認証処理に成功したと設定した後、ステップＳＰ１６から元の処理手順に戻る。
【００１６】
これに対してステップＳＰ１７で肯定結果が得られると、出力機器は、ステップＳＰ１７からステップＳＰ１９に移る。ここで出力機器は、伝送対象の機器より、ハッシュ値とＫＳＶリストを取得する。ここでハッシュ値は、ハッシュ関数ＳＨＡ−１を用いて、伝送対象の機器が自身のＫＳＶリストと所定のビット列とをハッシュしたものである。またＫＳＶリストは、伝送対象の機器に接続された各種機器のＫＳＶのリストである。図１６に示すように、出力機器である送信装置（Source機器）Ｓに、中継装置であるリピーター(Repeater)が接続され、さらにこのリピーターＲに３台の受信装置（Sink機器（１）〜（３））Ｓ１〜Ｓ３が接続されている場合、このリピーターＲのＫＳＶリストは、これら３台の端末装置Ｓ１〜Ｓ３のＫＳＶにより形成されることになる。
【００１７】
これにより出力機器は、続くステップＳＰ２０において、受信したＫＳＶリストを用いてハッシュ値を計算し、続くステップＳＰ２１で、この計算したハッシュ値とステップＳＰ１９で受信したハッシュ値とを比較し、これらハッシュ値が一致するか否か判断する。ここで否定結果が得られると、出力機器は、ステップＳＰ１５に移り、認証処理に失敗したと設定した後、ステップＳＰ１６から元の処理手順に戻る。これに対してステップＳＰ２１で肯定結果が得られると、ステップＳＰ１８に移り、認証処理に成功したと設定した後、ステップＳＰ１６から元の処理手順に戻る。
【００１８】
これらによりＨＤＭＩ機器では、伝送に供するパケット毎に、著作権の保護が必要か否か判定し、著作権の保護が求められている場合には、伝送対象との間で認証の処理を実行し、認証に成功した場合にのみコンテンツのデータを暗号化して送出し、認証に失敗した場合には、コンテンツデータの出力を中止する。またこの認証の処理を、中継装置に接続された端末装置をも含めて実行し、これにより著作権の保護に万全を図っている。
【００１９】
このような著作権の保護に関して、特開２００４−９５１５９号公報には、著作権の保護によりコンテンツの提供を中止する場合には、その旨のメッセージを端末装置により表示してユーザーに通知する方法が提案されている。
【００２０】
ところでＨＤＭＩは、種々の映像機器、オーディオ機器に広く搭載されつつある。これによりＨＤＭＩは、例えばカメラ一体型ビデオテープレコーダに実装されて、撮像結果によるコンテンツの出力に利用されることも考えられる。
【００２１】
このようなカメラ一体型ビデオテープレコーダでは、専らユーザー自身が撮影した映像コンテンツを再生して出力することにより、著作権の保護に係る構成を設ける必然性が乏しいと考えられる。これによりこのような機器では、再生したコンテンツをＨＤＭＩにより出力するようにして、このＨＤＭＩに係る構成より認証、暗号化の処理に係る構成を省略することにより、全体構成を簡略化することができ、さらには種々の利便を図ることができると考えられる。
【００２２】
しかしながらこのような機器にあっては、市販のパッケージメディアの供給が開始されて、このパッケージメディアに記録されたコンテンツを再生する場合も考えられる。またディジタル放送等によるコンテンツを記録する場合も考えられる。これによりこのような場合には、著作権の保護を図ることが必要になり、ＨＤＭＩに係る構成により認証、暗号化の処理に係る構成を省略した場合には、認証、暗号化してコンテンツを出力することが困難なことにより、結局、コンテンツの出力をミュートすることになる。
【００２３】
これによりこの場合、ビデオテープレコーダ側では、コンテンツを再生しているにも係わらず、出力機器であるモニタ装置では、何らコンテンツの映像、音声が再生されない状態となり、各機器が正常に動作しているにも係わらず、機器が故障したとの印象をユーザーに与える問題がある。
【００２４】
この問題を解決する１つの方法として、特開２００４−９５１５９号公報の手法を適用して伝送先の機器でメッセージを表示することが考えられるが、コンテンツの伝送に係るプロトコルによっては、このような表示に供するメッセージの伝送がフォーマットに反する場合があり、実際上、適用できない問題がある。
【特許文献１】特開２００４−９５１５９号公報
【発明の開示】
【発明が解決しようとする課題】
【００２５】
本発明は以上の点を考慮してなされたもので、インターフェースの構成を簡略化して著作権の保護を図るようにして、機器が故障したといったような印象をユーザーに与えないようにすることができるコンテンツ出力装置、コンテンツ出力装置の制御方法、コンテンツ出力装置の制御方法のプログラム、コンテンツ出力装置の制御方法のプログラムを記録した記録媒体を提案しようとするものである。
【課題を解決するための手段】
【００２６】
かかる課題を解決するため請求項１の発明は、コンテンツ出力装置に適用して、着脱可能に保持された記録媒体から、前記記録媒体に記録されたコンテンツを再生するコンテンツ再生部と、前記コンテンツ再生部で再生された前記コンテンツのコピー禁止の有無を検出するコピー防止検出部と、前記コンテンツ再生部で再生された前記コンテンツのデータを復号する復号部と、前記復号部で復号された前記コンテンツのデータを伝送対象に送出するデータ送信部と、前記コンテンツ再生部で再生された前記コンテンツのモニタ用の映像及び又は音声を提供するモニタ部と、各部の動作を制御する制御部とを有し、前記データ送信部によるデータ送出のプロトコルが、コピー禁止のコンテンツのデータを送出する場合には、伝送対象との間で認証の処理を実行し、認証に成功した場合に、前記コンテンツのデータを暗号化して送出するプロトコルであり、前記制御部は、ユーザーによる指示により前記記録媒体に記録された前記コンテンツの前記コンテンツ再生部による再生を開始して前記コピー防止検出部による検出結果を取得し、該検出結果により前記コンテンツ再生部により再生するコンテンツがコピー禁止でない場合、前記データ送信部により該コンテンツのデータを送出し、該コンテンツがコピー禁止である場合、前記データ送信部により該コンテンツのデータの送出を中止し、該データの送出の中止を前記モニタ部によりユーザーに通知する。
【００２７】
また請求項５の発明は、コンテンツ出力装置の制御方法に適用して、前記コンテンツ出力装置が、着脱可能に保持された記録媒体から、前記記録媒体に記録されたコンテンツを再生するコンテンツ再生部と、前記コンテンツ再生部で再生された前記コンテンツのデータを復号する復号部と、前記復号部で復号された前記コンテンツのデータを伝送対象に送出するデータ送信部と、前記コンテンツ再生部で再生された前記コンテンツのモニタ用の映像及び又は音声を提供するモニタ部とを有し、前記データ送信部によるデータ送出のプロトコルが、コピー禁止のコンテンツのデータを送出する場合には、伝送対象との間で認証の処理を実行し、認証に成功した場合に、前記コンテンツのデータを暗号化して送出するプロトコルであり、ユーザーによる指示により前記記録媒体に記録された前記コンテンツの前記コンテンツ再生部による再生を開始して前記コピー防止検出部による検出結果を取得するコピー防止検出のステップと、前記コピー防止検出のステップによる検出結果により、前記コンテンツ再生部により再生するコンテンツがコピー禁止でない場合、前記データ送信部により該コンテンツのデータを送出するデータ送出のステップと、前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する。
【００２８】
また請求項６の発明は、演算処理手段の実行に供するコンテンツ出力装置の制御方法のプログラムに適用して、前記コンテンツ出力装置が、着脱可能に保持された記録媒体から、前記記録媒体に記録されたコンテンツを再生するコンテンツ再生部と、前記コンテンツ再生部で再生された前記コンテンツのデータを復号する復号部と、前記復号部で復号された前記コンテンツのデータを伝送対象に送出するデータ送信部と、前記コンテンツ再生部で再生された前記コンテンツのモニタ用の映像及び又は音声を提供するモニタ部とを有し、前記データ送信部によるデータ送出のプロトコルが、コピー禁止のコンテンツのデータを送出する場合には、伝送対象との間で認証の処理を実行し、認証に成功した場合に、前記コンテンツのデータを暗号化して送出するプロトコルであり、前記制御方法のプログラムは、ユーザーによる指示により前記記録媒体に記録された前記コンテンツの前記コンテンツ再生部による再生を開始して前記コピー防止検出部による検出結果を取得するコピー防止検出のステップと、前記コピー防止検出のステップによる検出結果により、前記コンテンツ再生部により再生するコンテンツがコピー禁止でない場合、前記データ送信部により該コンテンツのデータを送出するデータ送出のステップと、前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する。
【００２９】
また請求項７の発明は、演算処理手段の実行に供するコンテンツ出力装置の制御方法のプログラムを記録した記録媒体に適用して、前記コンテンツ出力装置が、着脱可能に保持された記録媒体から、前記記録媒体に記録されたコンテンツを再生するコンテンツ再生部と、前記コンテンツ再生部で再生された前記コンテンツのデータを復号する復号部と、前記復号部で復号された前記コンテンツのデータを伝送対象に送出するデータ送信部と、前記コンテンツ再生部で再生された前記コンテンツのモニタ用の映像及び又は音声を提供するモニタ部とを有し、前記データ送信部によるデータ送出のプロトコルが、コピー禁止のコンテンツのデータを送出する場合には、伝送対象との間で認証の処理を実行し、認証に成功した場合に、前記コンテンツのデータを暗号化して送出するプロトコルであり、前記制御方法のプログラムは、ユーザーによる指示により前記記録媒体に記録された前記コンテンツの前記コンテンツ再生部による再生を開始して前記コピー防止検出部による検出結果を取得するコピー防止検出のステップと、前記コピー防止検出のステップによる検出結果により、前記コンテンツ再生部により再生するコンテンツがコピー禁止でない場合、前記データ送信部により該コンテンツのデータを送出するデータ送出のステップと、前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する。
【００３０】
請求項１の構成により、コンテンツ出力装置に適用して、着脱可能に保持された記録媒体から、前記記録媒体に記録されたコンテンツを再生するコンテンツ再生部と、前記コンテンツ再生部で再生された前記コンテンツのコピー禁止の有無を検出するコピー防止検出部と、前記コンテンツ再生部で再生された前記コンテンツのデータを復号する復号部と、前記復号部で復号された前記コンテンツのデータを伝送対象に送出するデータ送信部と、前記コンテンツ再生部で再生された前記コンテンツのモニタ用の映像及び又は音声を提供するモニタ部と、各部の動作を制御する制御部とを有し、前記データ送信部によるデータ送出のプロトコルが、コピー禁止のコンテンツのデータを送出する場合には、伝送対象との間で認証の処理を実行し、認証に成功した場合に、前記コンテンツのデータを暗号化して送出するプロトコルであり、前記制御部は、ユーザーによる指示により前記記録媒体に記録された前記コンテンツの前記コンテンツ再生部による再生を開始して前記コピー防止検出部による検出結果を取得し、該検出結果により前記コンテンツ再生部により再生するコンテンツがコピー禁止でない場合、前記データ送信部により該コンテンツのデータを送出し、該コンテンツがコピー禁止である場合、前記データ送信部により該コンテンツのデータの送出を中止し、該データの送出の中止を前記モニタ部によりユーザーに通知すれば、著作権の保護を図る場合にデータの出力を中止することにより、プロトコルに係る認証、暗号化の構成を省略することができ、これにより著作権の保護を図るインターフェースの構成を簡略化して著作権の保護を図ることができる。また著作権の保護のためにコンテンツのデータの送出を中止する場合には、モニタ部によりユーザーに通知することにより、機器が故障したといったような印象をユーザーに与えないようにすることができる。これによりインターフェースの構成を簡略化して著作権の保護を図るようにして、機器が故障したといったような印象をユーザーに与えないようにすることができる。
【００３１】
またこれにより請求項５、請求項６、請求項７の構成によれば、インターフェースの構成を簡略化して著作権の保護を図るようにして、機器が故障したといったような印象をユーザーに与えないようにすることができるコンテンツ出力装置の制御方法、コンテンツ出力装置の制御方法のプログラム、コンテンツ出力装置の制御方法のプログラムを記録した記録媒体を提供することができる。
【発明の効果】
【００３２】
本発明によれば、インターフェースの構成を簡略化して著作権の保護を図るようにして、機器が故障したといったような印象をユーザーに与えないようにすることができる。
【発明を実施するための最良の形態】
【００３３】
以下、適宜図面を参照しながら本発明の実施例を詳述する。
【実施例１】
【００３４】
（１）実施例１の構成
図２は、本発明の実施例１に係るカメラ一体型ビデオテープレコーダの構成を関連する構成と共に示すブロック図である。このカメラ一体型ビデオテープレコーダ１は、図示しない記録系により撮像結果によるコンテンツを例えばＭＰＥＧ（Moving Picture Experts Group）の手法によりデータ圧縮してビデオテープである記録媒体２に記録する。また記録媒体２に記録されたコンテンツを再生してモニタ装置等の外部機器３に出力する。
【００３５】
ここでこの記録媒体２は、このカメラ一体型ビデオテープレコーダ１から取り出して据え置き型の記録再生装置によっても種々のソースによるコンテンツを記録することができ、このように据え置き型の記録再生装置によりコンテンツを記録する場合に、著作権の保護が求められるコンテンツを記録する場合には、ビデオデータ及びオーディオデータと共に符号化処理に供するユーザーデータ等に、コピー禁止のフラグが付加される。これによりこの記録媒体２では、復号化処理したデータよりコピー禁止の有無を判定できるように、各種映像コンテンツが記録される。なお記録媒体２は、光ディスク、メモリカード等種々の記録媒体を広く適用することができ、また内蔵型とするようにしてもよい。
【００３６】
データ読出し部４は、制御部５の制御により動作を開始し、記録媒体２に記録されたデータを再生してデータ復号部６に出力する。
【００３７】
データ復号部６は、制御部５の制御により動作を開始し、データ読出し部４から出力されるデータからビデオデータ及びオーディオデータを復号して出力する。このときコピー禁止のフラグ等を再生して制御部５に出力する。
【００３８】
すなわち図３に示すように、データ復号部６において、テープフォーマット復号部６Ａは、データ読出し部４より得られるデータを入力して処理することにより、テープフォーマットに係る順序により再生されるデータからビデオデータ、オーディオデータ、ユーザーデータ等の付加データをそれぞれ検出して出力する。ビデオデータ格納部６ＢＶ、オーディオデータ格納部６ＢＡ、付加データ格納部６ＢＦは、それぞれビデオデータ、オーディオデータ、付加データ用のバッファメモリであり、テープフォーマット復号部６Ａから出力されるビデオデータ、オーディオデータ、付加データをそれぞれ格納する。
【００３９】
ビデオデータ読出し部６ＣＶ、オーディオデータ読出し部６ＣＡ、付加データ読出し部６ＣＦは、それぞれビデオデータ格納部６ＢＶ、オーディオデータ格納部６ＢＡ、付加データ格納部６ＢＦに格納したビデオデータ、オーディオデータ、付加データを読出して出力し、ビデオデータ復号部６ＤＶ、オーディオデータ復号部６ＤＡは、それぞれビデオデータ読出し部６ＣＶ、オーディオデータ読出し部６ＣＡで読み出されたビデオデータ、オーディオデータを復号化して出力する。著作権保護信号分析部６ＤＦは、付加データ読出し部６ＣＦで読出した付加データより著作権保護に係る信号であるコピー防止フラグを検出して制御部５に通知する。
【００４０】
データ格納部７（図２）は、バッファメモリであり、データ復号部６から出力されるビデオデータ及びオーディオデータを、それぞれビデオデータ格納部７Ｖ及びオーディオデータ格納部７Ａにより一時格納する。
【００４１】
データ読出し部９は、制御部５による制御により、データ格納部７のビデオデータ格納部７Ｖ及びオーディオデータ格納部７Ａにそれぞれ格納されたビデオデータ及びオーディオデータをビデオデータ読出し部９Ｖ及びオーディオデータ読出し部９Ａによりそれぞれ読出してデータミュート部１０、表示部１４、音声再生部１５に出力する。
【００４２】
データミュート部１０は、制御部５の制御によりデータ読出し部９から出力されるオーディオデータ及びビデオデータをデータ送信部１１に出力する。この一連の処理において、制御部５からミュートが指示されると、データ送信部１１へのビデオデータ及びオーディオデータの出力を中止し、これによりこのカメラ一体型ビデオテープレコーダ１からのデータ出力をミュートする。
【００４３】
データ送信部１１は、著作権の保護を図るプロトコルによるインターフェースであり、この実施例ではこのプロトコルにＨＤＭＩが適用される。これによりこの実施例において、データ送信部１１は、制御部５の制御により、データ通信対象である外部機器３に設けられた、同種のデータ受信部１２との間で、ＨＤＭＩに係るケーブルにより接続され、ＨＤＭＩに係る一連のデータ通信処理を実行する。さらにこの実施例において、データ送信部１１は、このＨＤＭＩにおける認証処理、暗号化処理に係る構成が省略され、これにより構成、処理が簡略化される。
【００４４】
入力部１３は、このカメラ一体型ビデオテープレコーダ１の各種操作子等により形成され、ユーザーによる操作を受け付けて制御部５に通知する。
【００４５】
表示部１４は、図４に示すように、液晶パネル１４Ａ、この液晶パネル１４Ａの動作を制御する液晶パネル制御部１４Ｂ、オンスクリーンデマンド用のデータを格納するＯＳＤデータ格納部１４Ｃ等により構成され、記録媒体２より再生されたコンテンツ、各種のメッセージ、警告を表示する。
【００４６】
音声再生部１５は、図５に示すように、スピーカー１５Ａ、このスピーカー１５Ａを駆動する音声出力制御部１５Ｂ等により構成され、制御部５の制御により、モニタ用の音声、各種警告音を発生してユーザーの注意を喚起する。
【００４７】
制御部５は、このカメラ一体型ビデオテープレコーダ１の動作を制御するコンピュータであり、図示しないメモリに記録されたプログラムの実行により、ユーザーによる操作に応動して各部の動作を制御する。なおこの実施例において、このプログラムは、このカメラ一体型ビデオテープレコーダ１に事前にインストールされて提供されるものの、このような事前のインストールに代えて、光ディスク、磁気ディスク、メモリカード等の各種記録媒体に記録して提供するようにしてもよく、またインターネット等のネットワークを介したダウンロードにより提供するようにしてもよい。
【００４８】
このため図６に示すように、制御部５は、各部の制御に係る各種機能ブロック等が設けられる。なおここでデータ読出し部２０は、データ読出し制御部２とマイクロプロセッサ２２との間のコマンド、応答等に係る制御部であり、データ読出し制御部２１は、データ格納部７に係る同様の制御部である。またデータ復号制御部２３、復号データ受信部２４は、データ復号部６の復号処理の開始、処理結果に係る制御部であり、復号データ分析部２５は、データ復号部６で検出されたコピー禁止のフラグ等を復号データ受信部２４を介して入力し、これらフラグを解析して解析結果をマイクロプロセッサ２２に通知する。
【００４９】
ミュート制御部２６は、データミュート部１０に係る制御部であり、入力命令受信部２７は、入力部１３に係る制御部である。表示映像格納部２８は、伝送対象への、コンテンツの伝送を中止する旨の警告の表示に係るビデオデータを格納するメモリである。
【００５０】
表示映像制御部２９は、表示部１４、伝送対象の表示部に係る制御部であり、撮影時にあっては、撮像系より得られるビデオデータにより表示部１４を駆動し、これにより撮像結果のモニタ画像を表示する。また記録媒体２に記録されたコンテンツの再生時、データ復号部６で復号されたビデオデータにより表示部１４を駆動し、これにより再生されたコンテンツのモニタ画像を表示する。またこれらの処理において必要に応じて表示映像格納部２８に格納されたビデオデータを伝送対象に送出する。この実施例では、これにより記録媒体２より再生しているコンテンツがコピー禁止に係るコンテンツであって、外部機器３への伝送を中止している旨のメッセージを伝送対象で表示する。
【００５１】
音声格納部３０は、伝送対象への、コンテンツの伝送を中止する旨の警告の音声出力に係るオーディオデータを格納するメモリである。音声再生制御部３１は、音声再生部１５、伝送対象の音声再生部に係る制御部であり、撮影時にあっては、撮像系より得られるオーディオデータにより音声再生部１５を駆動し、これにより撮像結果に係る音声のモニタを出力する。また記録媒体２に記録されたコンテンツの再生時、データ復号部６で復号されたオーディオにより音声再生部１５を駆動し、これにより再生されたコンテンツの音声のモニタを出力する。またこれらの処理において、必要に応じて音声格納部３０に格納されたオーディオデータを伝送対象に送出する。この実施例では、これにより記録媒体２より再生しているコンテンツがコピー禁止に係るコンテンツであって、外部機器３への伝送を中止している旨の警告音を伝送対象より出力する。
【００５２】
制御部５は、これらの各種制御部等を介して、マイクロプロセッサ２２により各部の動作を制御する。これにより制御部５は、ユーザーにより撮像結果の記録が指示されると、図示しない記録系の各部に動作の開始を指示し、これにより順次得られる撮像結果によるビデオデータ及びオーディオデータをデータ圧縮して記録媒体に記録する。また記録媒体２に記録されたコンテンツの再生が指示されると、再生系の各部に動作の開始を指示し、記録媒体２に記録された映像コンテンツを再生して表示部１４より再生する。これに対してこのように映像コンテンツを再生している状態で、さらには一時停止等の状態で、データ送信部１１にＭＤＭＩ（HDMI）に係るケーブルが接続されると、図１の処理手順の実行により外部機器３にコンテンツのデータを送出する。
【００５３】
すなわち制御部５は、この処理手順を開始すると、ステップＳＰ３１からステップＳＰ３２に移る。ここで制御部５は、データ送信部１１による外部機器３へのリクエストによりデータ送信部１１でＥＤＩＤを受信し、これによりデータ送信部１１でこの外部機器の対応可能な信号フォーマットを検出する。また続いてステップＳＰ３３に移り、伝送に供するパケットデータ（Audio/Video Packet）がデータ格納部７に蓄積されたか否か判断し、ここで否定結果が得られると、ステップＳＰ３３を繰り返す。これにより制御部５は、単に伝送対象の機器が接続されただけの場合には、このステップＳＰ３３の処理を繰り返し、伝送に供するデータの蓄積を待機する。
【００５４】
これに対してコンテンツの再生等を開始して、又はコンテンツの再生を開始した状態で伝送対象の機器を接続して、ステップＳＰ３３で肯定結果が得られると、制御部５は、ステップＳＰ３４に移る。ここで制御部５は、復号データ分析部２６による分析結果より、データ格納部７に蓄積されたデータが、コピー禁止のフラグが設定された著作権保護のデータか否か判断する。
【００５５】
ここで否定結果が得られると、制御部５は、ステップＳＰ３４からステップＳＰ３５に移り、データ送信部１１によりステップＳＰ３２で検出したフォーマットに応じて伝送に供するパケットデータをフォーマット化し、続くステップＳＰ３６でこのフォーマット化したデータを伝送対象に送出した後、ステップＳＰ３３に戻り、続くパケットデータの取得を待機する。これにより制御部５は、伝送に供するコンテンツに何らコピー禁止フラグが設定されていない場合、暗号化することなく、伝送対象に対応するフォーマットによりコンテンツのデータを出力する。
【００５６】
これに対してステップＳＰ３４で肯定結果が得られると、出力機器は、ステップＳＰ３４からステップＳＰ３７に移る。ここで表示制御３１の制御により、表示部１４による再生結果の表示の上に、記録媒体２より再生しているコンテンツがコピー禁止に係るコンテンツであって、外部機器３への伝送を中止している旨のメッセージを表示する。また音声再生制御部３１の制御により、記録媒体２より再生しているコンテンツがコピー禁止に係るコンテンツであって、外部機器３への伝送を中止している旨の警告音の音声再生部１５による出力を開始する。
【００５７】
その後、制御部５は、ステップＳＰ３８に移り、データミュート部１０によりコンテンツの出力をミュートする。またこのミュートしたデータに代えて、表示映像格納部２８、音声格納部３０に格納されたビデオデータ及びオーディオデータの伝送対象への送出を開始し、ステップＳＰ３３に戻る。
【００５８】
これらによりＭＤＭＩ（HDMI）に係るケーブルが接続された状態で、ユーザーにより外部機器へのコンテンツの送出が指示された場合、制御部５は、図７に示す処理手順を開始してステップＳＰ４１からステップＳＰ４２に移り、ここで記録媒体２からデータの読出しを開始した後、続くステップＳＰ４３において、データの送信終了がユーザーにより指示されたか否か判断する。ここで否定結果が得られると、制御部５は、ステップＳＰ４３からステップＳＰ４４に移り、記録媒体２から読出したデータをデータ復号部６で復号し、続くステップＳＰ４５において、復号したビデオデータ及びオーディオデータをデータ格納部７に格納する。
【００５９】
また続くステップＳＰ４６において、復号データ分析部２５による解析によりコピー禁止フラグが検出されたか否か判断し、ここで否定結果が得られると、続くステップＳＰ４７において、復号データ分析部２５から分析の終了がマイクロプロセッサ２２に通知され、この通知により続くステップＳＰ４８でデータ送信部１１により外部機器３にデータ送信し、ステップＳＰ４３に戻る。
【００６０】
これに対してステップＳＰ４６で肯定結果が得られると、ステップＳＰ４９に移り、ここで復号データ分析部２５からコピー禁止フラグの検出がマイクロプロセッサ２２に通知される。これにより続くステップＳＰ５０において、データミュート部１０にデータのミュートを指示し、続くステップＳＰ５１において、データミュート部１０でデータのミュートを開始する。また続くステップＳＰ４８において、このミュートしたデータに代えて表示映像格納部２８、音声格納部３０に格納したビデオデータ、オーディオデータの出力を開始する。これにより制御部２５は、外部機器３に対するコンテンツデータの出力をミュートし、ステップＳＰ４３に戻る。
【００６１】
これに対してステップＳＰ４３で肯定結果が得られると、この場合、ステップＳＰ４３からステップＳＰ５２に移ってこの処理手順を終了する。
【００６２】
（２）実施例１の動作
以上の構成において、このカメラ一体型ビデオテープレコーダ１では、ユーザーによる指示により撮像系より得られる撮像結果によるビデオデータ及びオーディオデータがデータ圧縮処理されて記録媒体２に記録される。またこのようにして記録媒体２に記録された撮像結果による映像コンテンツがデータ読出し部４により記録媒体２から再生された後、データ復号部６によりデータ伸長されてビデオデータ及びオーディオデータが復号され、このビデオデータによる映像、オーディオデータによる音声が表示部１４、音声再生部１５によりユーザーに提供される。
【００６３】
これによりカメラ一体型ビデオテープレコーダ１は、このようなユーザーによる撮像結果の記録、再生により、専らユーザー自身が撮影した映像コンテンツが再生に使用されることになる。これにより著作権の保護に係る構成を設ける必然性が乏しいと考えられる。
【００６４】
しかしながらこのカメラ一体型ビデオテープレコーダ１に使用される記録媒体２は、他の記録再生装置で映像コンテンツが記録された後、このカメラ一体型ビデオテープレコーダ１で再生して外部機器でモニタする場合もある。この場合、記録媒体２は、この他の記録再生装置で記録される映像コンテンツのうちで、コピーが禁止される映像コンテンツについては、コピー禁止フラグが設定される。
【００６５】
カメラ一体型ビデオテープレコーダ１では、映像コンテンツを再生する際に、データ復号部６で復号されたデータよりコピー禁止フラグが設定されているか否か判定される。またコピー禁止フラグが設定されていない場合には、ＨＤＭＩによるデータ送信部１１を介して再生したデータが外部機器３に送出される。これに対してコピーが禁止されている場合には、データ送信部１１より送出するデータがミューティングされる。
【００６６】
しかしてこのようにしてコピーが禁止されている場合に、データ送信部１１より送出するデータをミューティングして著作権の保護を図るようにすれば、データ送信部１１では、ＨＤＭＩに係る認証、暗号化に係る構成を省略することができ、その分、構成を簡略化することができる。
【００６７】
しかしながらこの場合、カメラ一体型ビデオテープレコーダ１、外部機器３では、正常に動作しているにも係わらず、ユーザーの意図したように映像コンテンツが外部機器３に伝送されていないことにより、ユーザーにあっては、機器が故障したといったような印象を受けることになる。
【００６８】
これによりこのカメラ一体型ビデオテープレコーダ１では、このようにして外部機器３へのデータ出力をミューティングにより中止する場合、表示部１４へのメッセージの表示により、さらには音声再生部１５による警告音により、映像コンテンツの著作権を保護する為に、外部機器３へのデータ出力を中止している旨、ユーザーに通知される。
【００６９】
これによりこのカメラ一体型ビデオテープレコーダ１では、著作権の保護を図るインターフェースの構成を簡略化して著作権の保護を図るようにして、機器が故障したといったような印象をユーザーに与えないようにすることができる。
【００７０】
またこのとき伝送対象にも、同様のメッセージの表示、音声出力に係るビデオデータ及びオーディオデータが、コンテンツのデータに代えて送出され、これによりデータ出力に係るフォーマットに反しないようにして、伝送対象の表示、音声出力によっても、機器が故障したといったような印象をユーザーに与えないようにすることができる。
【００７１】
（３）実施例１の効果
以上の構成によれば、認証、暗号化の処理により著作権の保護を図るインターフェースにより映像コンテンツを外部機器に出力するようにして、コピーの禁止が指示されている場合には、出力を中止すると共に、メッセージの表示、警告音の出力によりユーザーに通知することにより、インターフェースの構成を簡略化して著作権の保護を図るようにして、機器が故障したといったような印象をユーザーに与えないようにすることができる。
【００７２】
また伝送に供するコンテンツがコピー禁止である場合、コンテンツのデータに代えて、コンテンツの出力を中止する旨のメッセージの表示、音声出力に係るビデオデータ及びオーディオデータを送出することにより、伝送対象側の機器によっても、機器が故障したといったような印象をユーザーに与えないようにすることができる。
【実施例２】
【００７３】
図８は、本発明の実施例２に係るカメラ一体型ビデオテープレコーダの構成を関連する構成と共に示すブロック図である。このカメラ一体型ビデオテープレコーダ４１は、図示しない記録系により撮像結果によるコンテンツを例えばＭＰＥＧの手法によりデータ圧縮してビデオテープである記録媒体４２に記録する。また記録媒体４２に記録されたコンテンツを再生してモニタ装置等の外部機器３に出力する。
【００７４】
ここでこの記録媒体４２は、このカメラ一体型ビデオテープレコーダ４１から取り出して据え置き型の記録再生装置によっても種々のソースによるコンテンツを記録することができ、このように据え置き型の記録再生装置によりコンテンツを記録する場合に、著作権の保護が求められるコンテンツを記録する場合には、符号化処理したビデオデータ及びオーディオデータによるストリーミングデータの制御コードに、コピー禁止のフラグが付加される。これによりこの記録媒体４２では、復号化処理の前に、事前にコピー禁止の有無を判定できるように、各種映像コンテンツが記録される。
【００７５】
このコピー禁止のフラグの設定に対応して、このカメラ一体型ビデオテープレコーダ４１では、データ復号部４６がデータミュート部１０とデータ送信部１１との間に設けられる。このカメラ一体型ビデオテープレコーダ４１では、このコピー禁止のフラグの設定に対応する構成が異なる点を除いて、実施例１について上述したカメラ一体型ビデオテープレコーダ１と同一に構成される。
【００７６】
またこれによりこのカメラ一体型ビデオテープレコーダ４１の制御に係る制御部４５は、図６との対比により図９に示すように構成され、データ復号部６に係る復号データ受信部２４、復号データ分析部２５に代えて、データ格納部７の制御に係る格納データ受信部５１、データ分析部５２が設けられ、またこれらの構成に対応するようにマイクロプロセッサ５５により所定の処理手順を実行する。なおここで復号データ受信部２４は、ストリーミングデータに設定されたコピー禁止フラグ等を入力する機能ブロックであり、データ分析部５２は、この復号データ受信部２４に入力されたデータを解析してコピー禁止フラグの有無を検出する機能ブロックである。
【００７７】
これにより制御部４５は、データ格納部７に格納されたデータよりコピー禁止フラグの有無を検出し、この検出結果により図１について上述した処理手順の実行により記録媒体４２で再生された映像コンテンツを外部機器３に出力する。
【００７８】
またこれによりＭＤＭＩ（HDMI）に係るケーブルが接続された状態で、ユーザーにより外部機器へのコンテンツの送出が指示された場合、制御部４５は、図７との対比により図１０に示す処理手順を開始してステップＳＰ６１からステップＳＰ６２に移り、ここで記録媒体６２からデータの読出しを開始した後、続くステップＳＰ６３において、データの送信終了がユーザーにより指示されたか否か判断する。ここで否定結果が得られると、制御部４５は、ステップＳＰ６３からステップＳＰ６４に移り、再生したデータをデータ格納部７に格納する。また続くステップＳＰ６５において、このデータ格納部７に格納したデータよりデータ分析部５２でコピー禁止フラグを検出し、ここでコピー禁止フラグが検出されないと、ステップＳＰ６５からステップＳＰ６６に移り、この検出結果がマイクロプロセッサ５５に通知される。また続くステップＳＰ６７において、データ格納部７に格納したデータがデータミュート部１０を介してデータ復号部４６に入力されて復号処理され、その結果得られるビデオデータ及びオーディオデータがデータ送信部１１より外部機器３に出力される。
【００７９】
これに対してステップＳＰ６５で肯定結果が得られると、ステップＳＰ６５からステップＳＰ６９に移り、ここでコピー禁止フラグの検出がデータ分析部５２からマイクロプロセッサ５５に通知される。これにより続くステップＳＰ７０において、データミュート部１０にミューティングを指示した後、ステップＳＰ６７、ステップＳＰ６８の処理手順を順次実行してステップＳＰ６３に戻る。なおこれによりこのフローチャートでは、データミュート部１０により外部機器への出力をミューティングする場合にあっても、データ読出し部８からデータを読出してデータミュート部１０で処理した後、さらにデータ復号部４６、データ送信部１１で一連の処理を実行していることになるが、実際上、外部機器への出力をミューティングする場合、これらデータ読出し部８からのデータを読出し処理、データミュート部１０、データ復号部４６、データ送信部１１の一連の処理が停止制御され、これにより全体の処理が簡略化され、さらには消費電力が低減される。
【００８０】
この実施例によれば、符号化処理されたストリーミングデータにコピー禁止フラグが設定される場合でも、実施例１と同様の効果を得ることができる。
【実施例３】
【００８１】
図１１は、本発明の実施例３に係るカメラ一体型ビデオテープレコーダに適用される制御部の構成を示すブロック図である。この実施例に係る制御部６５は、データ復号部６で復号化された各種のデータの全てを一旦取り込で表示部１４、音声再生部１５の駆動に供する点を除いて、実施例１と同様に構成される。これにより制御部６５は、データ復号部６で復号化されたビデオデータ、オーディオデータ、ユーザーデータを復号データ受信部２４により入力し、これらのデータのうちからユーザーデータを復号データ分析部２５により分析してコピー禁止フラグを検出する。また復号データ受信部２４により入力したビデオデータ、オーディオデータをそれぞれ表示制御部２９、再生制御部３１に出力し、これにより記録媒体２に記録された映像コンテンツのモニタに供する。
【００８２】
またこのとき制御部６５の制御により、ユーザーによる指示に応じて、表示部１４、音声再生部１５のビデオデータ及びオーディオデータによる駆動を停止し、これにより映像コンテンツを再生して外部機器に出力する場合に、メッセージ、警告音のみユーザーに提供する。
【００８３】
この実施例のように、データ復号部６で復号化された各種のデータの全てを一旦取り込で表示部１４、音声再生部１５の駆動に供するようにしても、実施例１と同様の効果を得ることができる。またこの実施例の構成によれば、映像コンテンツの出力を中止する場合に、映像コンテンツの映像に重ねて警告文をＯＳＤ表示することができる、これより外部機器へのコンテンツ出力を中止した場合でも、映像コンテンツの内容を確認することができる。
【実施例４】
【００８４】
図１２は、図２との対比により本発明の実施例４に係るカメラ一体型ビデオテープレコーダを示すブロック図である。このカメラ一体型ビデオテープレコーダ７１は、データ送信部１１に代えてデータ送信部８１が設けられる。ここでデータ送信部８１は、ＨＤＭＩのプロトコルに係るインターフェースであり、ＨＤＣＰに係る公開鍵であるＫＳＶ８１Ａが設けられ、さらにＨＤＭＩに係る物理的なインターフェース（ＨＤＭＩ  Ｉ／Ｆ）８１Ｃ、インターフェース８１Ｃを介して、伝送対象との間でのＨＤＭＩプロトコルに従って種々のデータを送受する送信部（ＨＤＭＩ  Ｔｘ）８１Ｂが設けられる。なおこれにより伝送側でも、同様のインターフェース（ＨＤＭＩ  Ｉ／Ｆ）１２Ａ、ＨＤＭＩプロトコルに係るデータ受信部（ＨＤＭＩ  Ｒｘ）１２Ｂが設けられていることになる。また制御部５に代えて、制御部８５が設けられる。この実施例では、このデータ送信部８１に関連する構成が異なる点を除いて、実施例１について上述したカメラ一体型ビデオテープレコーダと同一に構成される。
【００８５】
ここで図１３は、図１との対比により制御部８５のデータ送出時に係る処理手順を示すフローチャートである。すなわち制御部８５は、この処理手順を開始すると、ステップＳＰ８１からステップＳＰ８２に移る。ここで制御部８５は、データ送信部により、接続された外部機器３からＥＤＩＤを受信し、この外部機器の対応可能な信号フォーマットを検出する。また続いてステップＳＰ８３に移り、図１４のステップＳＰ８について上述したと同一の処理により、データ送信部により、伝送対象の機器との間でＨＤＣＰによる認証の処理を実行する。
【００８６】
続いて制御部８５は、ステップＳＰ８４に移り、伝送に供するパケットデータ（Audio/Video Packet）がデータ格納部７に蓄積されたか否か判断し、ここで否定結果が得られると、ステップＳＰ８４を繰り返す。これにより制御部８５は、単に伝送対象の機器が接続されただけの場合には、このステップＳＰ８４の処理を繰り返し、伝送に供するデータの蓄積を待機する。
【００８７】
これに対してコンテンツの再生等を開始して、又はコンテンツの再生を開始した状態で伝送対象の機器を接続して、ステップＳＰ８４で肯定結果が得られると、制御部８５は、ステップＳＰ８５に移る。ここで制御部８５は、復号データ分析部２６による分析結果より、データ格納部７に蓄積されたデータが、コピー禁止のフラグが設定された著作権保護のデータか否か判断する。
【００８８】
ここで否定結果が得られると、制御部８５は、ステップＳＰ８５からステップＳＰ８６に移り、データ送信部１１によりステップＳＰ８２で検出したインターフェースの種別に応じて伝送に供するパケットデータをフォーマット化し、続くステップＳＰ８７でこのフォーマット化したデータを伝送対象に送出した後、ステップＳＰ８４に戻り、続くパケットデータの取得を待機する。
【００８９】
これにより制御部８５は、伝送に供するコンテンツに何ら著作権の保護が設定されていない場合でも、伝送対象との間で最初に認証の処理を実行し、認証の成功、失敗にかかわらず、伝送対象に対応するフォーマットによりコンテンツのデータを出力する。
【００９０】
これに対してステップＳＰ８５で肯定結果が得られると、制御部８５は、ステップＳＰ８５からステップＳＰ８８に移る。ここで表示制御３１の制御により、表示部１４による再生結果の表示の上に、記録媒体２より再生しているコンテンツがコピー禁止に係るコンテンツであって、外部機器３への伝送を中止している旨のメッセージを表示する。また音声再生制御部３１の制御により、記録媒体２より再生しているコンテンツがコピー禁止に係るコンテンツであって、外部機器３への伝送を中止している旨の警告音の音声再生部１５による出力を開始する。
【００９１】
その後、制御部８５は、ステップＳＰ８９に移り、データミュート部１０によりコンテンツの出力をミュートする。またこのミュートしたデータに代えて、表示映像格納部２８、音声格納部３０に格納されたビデオデータ及びオーディオデータの伝送対象への送出を開始した後、ステップＳＰ８４に戻る。
【００９２】
これによりこの実施例では、初めに、認証の処理を実行し、認証の成功、失敗にかかわらず一連の処理を実行することにより、ＨＤＣＰによるプロトコルを基準にして、認証の処理を前提にデータ通信する場合にあっても、実施例１と同様の効果を得ることができる。
【実施例５】
【００９３】
なお上述の実施例においては、データ送信の中止をモニタによる映像、音声と共にユーザーに通知する場合について述べたが、本発明はこれに限らず、データ送信の中止の通知だけにこれらのモニタ機構を利用するようにしてもよく、さらにはメッセージの表示、音声出力の何れかだけによりユーザーに警告するようにしてもよい。
【００９４】
また上述の実施例４では、最初に認証処理を実行して、認証の成功、失敗にかかわらず、データ通信する場合について述べたが、本発明はこれに限らず、最初の認証の処理に加えて、又は代えて一定周期で認証の処理を実行し、認証の成功、失敗にかかわらずデータ通信してもよい。
【００９５】
また上述の実施例においては、ＨＤＣＰを使用したＨＤＭＩのプロトコルによりデータを送信する場合について述べたが、本発明はこれに限らず、例えばＤＴＣＰ（Digital Transmission Content Protocol ）を使用したＩＥＥＥ１３９４によりデータを送信する場合等に広く適用することができる。
【００９６】
また上述の実施例においては、本発明をカメラ一体型ビデオテープレコーダに適用した場合について述べたが、本発明はこれに限らず、光ディスク、磁気ディスク、メモリカード等、種々の記録媒体にビデオデータ及び又はオーディオデータを記録再生する記録再生装置、さらには再生専用装置に広く適用することができる。
【産業上の利用可能性】
【００９７】
本発明は、例えばカメラ一体型ビデオテープレコーダに適用することができる。
【図面の簡単な説明】
【００９８】
【図１】本発明の実施例１に係るカメラ一体型ビデオテープレコーダの制御部の処理手順を示すフローチャートである。
【図２】本発明の実施例１に係るカメラ一体型ビデオテープレコーダを示すブロック図である。
【図３】図２のカメラ一体型ビデオテープレコーダのデータ復号部等の構成を詳細に示すブロック図である。
【図４】図２のカメラ一体型ビデオテープレコーダの表示部の構成を詳細に示すブロック図である。
【図５】図２のカメラ一体型ビデオテープレコーダの音声再生部の構成を詳細に示すブロック図である。
【図６】図２のカメラ一体型ビデオテープレコーダの制御部の構成を示すブロック図である。
【図７】図２のカメラ一体型ビデオテープレコーダにおける制御部のデータ再生に係る一連の処理を示すフローチャートである。
【図８】本発明の実施例２に係るカメラ一体型ビデオテープレコーダを示すブロック図である。
【図９】図８のカメラ一体型ビデオテープレコーダの制御部の構成を示すブロック図である。
【図１０】図８のカメラ一体型ビデオテープレコーダにおける制御部のデータ再生に係る一連の処理を示すフローチャートである。
【図１１】本発明の実施例３に係るカメラ一体型ビデオテープレコーダの制御部の構成を示すブロック図である。
【図１２】本発明の実施例４に係るカメラ一体型ビデオテープレコーダを示すブロック図である。
【図１３】図１２のカメラ一体型ビデオテープレコーダの制御部の処理手順を示すフローチャートである。
【図１４】ＨＤＭＩに係る出力機器の処理手順を示すフローチャートである。
【図１５】図１４の処理手順における認証の処理を示すフローチャートである。
【図１６】図１５の認証の処理の説明に供するブロック図である。
【符号の説明】
【００９９】
１、４１、７１……カメラ一体型ビデオテープレコーダ、２、４２……記録媒体、５、４５、６５……制御部、１４…表示部、１５……音声再生部、１１、８１……データ送信部、１２……データ受信部
【図１】
0004506635.tif 000002
【図２】
0004506635.tif 000003
【図３】
0004506635.tif 000004
【図４】
0004506635.tif 000005
【図５】
0004506635.tif 000006
【図６】
0004506635.tif 000007
【図７】
0004506635.tif 000008
【図８】
0004506635.tif 000009
【図９】
0004506635.tif 000010
【図１０】
0004506635.tif 000011
【図１１】
0004506635.tif 000012
【図１２】
0004506635.tif 000013
【図１３】
0004506635.tif 000014
【図１４】
0004506635.tif 000015
【図１５】
0004506635.tif 000016
【図１６】
0004506635.tif 000017